(57)【特許請求の範囲】
【請求項１】
雌部材の内周領域が一対の操作部材を介して雄部材の係合部の受入れを可能とされ、前記一対の操作部材は雄部材の係合部の受入れ軌跡に交叉する部分を有し、雄部材の着脱の際には、前記一対の操作部材が、それぞれ雄部材の係合部の受入れ軌跡に交叉した連結位置から退避せしめるべく外周方向へ回動変位せしめられ、雄部材の係合部への操作部材の係合を解除するようにしたものであって、前記操作部材は連結用弾性片と着脱時案内用弾性片とを有すると共に、各弾性片の付勢作用により操作部材は雄部材の係合部の受入れ軌跡に交叉した状態が維持されるようにしたことを特徴とするクイック・コネクタ。
【請求項２】
前記一対の操作部材は互いに逆端方向から配設せしめられるようにしたことを特徴とする請求項１記載のクイック・コネクタ。
【請求項３】
雄部材の着脱の際には、連結用弾性片と着脱時案内用弾性片との付勢作用に抗して、操作部材を雄部材の受入れ軌跡に交叉した連結位置から退避せしめるべく変位せしめられるようにしたことを特徴とする請求項１記載のクイック・コネクタ。
【発明の詳細な説明】
【０００１】
【発明の属する技術分野】
この発明は、雄部材を雌部材に挿入して着脱可能に連結するためのクイック・コネクタに関するものである。
【０００２】
【従来の技術】
本発明者らは、雄部材を雌部材に挿入して着脱可能に連結するためのクイック・コネクタを社内において開発した。
【０００３】
図７及び図８に示すように、このクイック・コネクタは、雌部材20の内周領域が、一対の操作部材21を介して雄部材２（図６参照）の係合部５の受入れを可能とされる。前記操作部材21は、雄部材２の係合部５の受入れ軌跡に交叉する部分22を有する。
【０００４】
雄部材２の着脱の際には、前記一対の操作部材21を、雄部材２の係合部５の受入れ軌跡に交叉した連結位置から退避せしめるべく逆端方向に向けて押圧して変位せしめ、雄部材２の係合部５への操作部材21の係合を解除するようにしている。
【０００５】
そして、雄部材２の抜け難さの度合いは、例えば、操作部材21が雄部材２の係合部５の受入れ軌跡に交叉する部分22の面積の大きさに依存しているのであるが、クイック・コネクタとして、できるだけ雄部材２の抜け難さの度合いを高めたいという要望がある。
【０００６】
【発明が解決しようとする課題】
そこで、この発明は、雄部材の抜け難さの度合いをより高めることができるクイック・コネクタを提供しようとするものである。
【０００７】
【課題を解決するための手段】
前記課題を解決するためこの発明では次のような技術的手段を講じている。
【０００８】
この発明のクイック・コネクタは、雌部材の内周領域が一対の操作部材を介して雄部材の係合部の受入れを可能とされ、前記一対の操作部材は雄部材の係合部の受入れ軌跡に交叉する部分を有し、雄部材の着脱の際には、前記一対の操作部材が、それぞれ雄部材の係合部の受入れ軌跡に交叉した連結位置から退避せしめるべく外周方向へ回動変位せしめられ、雄部材の係合部への操作部材の係合を解除するようにしたものであって、前記操作部材は連結用弾性片と着脱時案内用弾性片とを有すると共に、各弾性片の付勢作用により操作部材は雄部材の係合部の受入れ軌跡に交叉した状態が維持されるようにしたことを特徴とする。
【０００９】
この発明のクイック・コネクタによると、雄部材の着脱の際には、前記一対の操作部材が、それぞれ雄部材の係合部の受入れ軌跡に交叉した連結位置から退避せしめるべく外周方向へ回動変位せしめられるようにしたので、一対の操作部材を逆端方向に向けて押圧して変位せしめる場合よりも、両サイドの領域の面積分、操作部材が雄部材の係合部の受入れ軌跡に交叉する部分の面積を大きくすることができる。
また、連結用弾性片と着脱時案内用弾性片という簡易な構造により、操作部材が雄部材の係合部の受入れ軌跡に交叉した状態を好適に維持することができる。
【００１０】
前記一対の操作部材は互いに逆端方向から配設せしめられるようにすることもできる。このように構成にすると、雄部材の着脱を、クイック・コネクタの両側から操作部材を片手で押し込むという単純な操作で行うことができるので、非常に操作性に優れる。
【００１１】
雄部材の着脱の際には、連結用弾性片と着脱時案内用弾性片との付勢作用に抗して、操作部材を雄部材の受入れ軌跡に交叉した連結位置から退避せしめるべく変位せしめられるようにすることもできる。
【００１２】
このように構成すると、簡易な構造と簡単な操作により、操作部材を雄部材の受入れ軌跡に交叉した連結位置から退避せしめることができる。
【００１３】
【発明の実施の形態】
以下、この発明の実施の形態を図面を参照して説明する。
【００１４】
図１乃至図６に示すように、この実施形態のクイック・コネクタは、内方に流体の流通孔１を有する金属製の雄部材２と、合成樹脂製の雌部材３と一対の操作部材４とを具備している。
【００１５】
雌部材３の内周領域は、一対の操作部材４を介して雄部材２の鍔状の係合部５（図６参照）の受入れを可能としている。前記一対の操作部材４は、雄部材２の鍔状の係合部５の受入れ軌跡に交叉する略「し」の字状の部分６（図３参照）を有すると共に、互いに逆端方向から配設せしめられるようにしている。
【００１６】
前記操作部材４は、連結用弾性片７と着脱時案内用弾性片８とを有する。そして、雌部材３の内周壁９に当接する各弾性片の付勢作用により、操作部材４は雄部材２の鍔状の係合部５の受入れ軌跡に交叉した状態が維持されるようにしている。
【００１７】
一方、雄部材２の着脱の際には、前記一対の操作部材４が、それぞれ雄部材２の鍔状の係合部５の受入れ軌跡に交叉した連結位置から退避せしめるべく外周方向へ回動変位せしめられ、雄部材２の鍔状の係合部５への操作部材４の係合を解除するようにしている。
【００１８】
すなわち、連結用弾性片７と着脱時案内用弾性片８との付勢作用に抗して、操作部材４が、雄部材２の受入れ軌跡に交叉した連結位置から退避せしめるべく変位せしめられるようにしている。
【００１９】
次に、この実施形態のクイック・コネクタの使用状態を説明する。
このクイック・コネクタによると、雄部材２の着脱の際には、一対の操作部材４が、それぞれ雄部材２の鍔状の係合部５の受入れ軌跡に交叉した連結位置から退避せしめるべく外周方向へ回動変位せしめられるようにしたので、一対の操作部材４を逆端方向に向けて押圧して真っ直ぐに変位せしめる場合（図７参照）よりも、操作部材４を挿入する方向に対して両サイドの領域の面積分（図３参照、略「し」の字状の脚先の領域）、操作部材４が雄部材２の鍔状の係合部５の受入れ軌跡に交叉する部分６の面積を大きくすることができる。したがって、雄部材２の抜け難さの度合いをより高めることができるという利点がある。
【００２０】
また、一対の操作部材４は互いに逆端方向から配設せしめたので、雄部材２の着脱を、クイック・コネクタの両側から一対の操作部材４を片手で押し込みながら他方の手で雄部材２を引抜くという単純な操作で行うことができ、非常に操作性に優れるという利点がある。
【００２１】
さらに、連結用弾性片７と着脱時案内用弾性片８という簡易な構造により、操作部材４が雄部材２の鍔状の係合部５の受入れ軌跡に交叉した状態を好適に維持することができ、簡易な構造と簡単な操作により、操作部材４を雄部材２の受入れ軌跡に交叉した連結位置から退避せしめることができるという利点がある。
【００２２】
そのうえ、雄部材２の着脱の際には一対の操作部材４を回動変位せしめるようにしたので、操作部材４が外周方向に回動変位する分（図３参照）、操作部材４の押し込み方向の長さを従来のクイック・コネクタ（図７参照）よりも短く設定することが可能であるという利点がある。
【００２３】
【発明の効果】
この発明は上述のような構成であり、次の効果を有する。
【００２４】
操作部材が雄部材の係合部の受入れ軌跡に交叉する部分の面積を大きくすることができるので、雄部材の抜け難さの度合いをより高めることができるクイック・コネクタを提供することができる。
【図面の簡単な説明】
【図１】この発明のクイック・コネクタの実施形態を説明するため、雌部材と雄部材のＯリングと操作部材とを断面で示した軸方向一部断面図。
【図２】図１のクイック・コネクタのII−II線を断面とし、雄部材を連結していない状態を示す分解斜視図。
【図３】図１のクイック・コネクタのII−II線断面の矢視図。
【図４】図１のクイック・コネクタで、操作部材による雄部材の係合部への係合を解除した状態のII−II線断面の矢視図。
【図５】図１のクイック・コネクタの雌部材の軸方向半断面図。
【図６】クイック・コネクタの雄部材の軸方向半断面図。
【図７】従来のクイック・コネクタで、雄部材と雌部材とが連結された状態を説明する断面図。
【図８】従来のクイック・コネクタで、操作部材による雄部材の係合部への係合を解除した状態を説明る断面図。
【符号の説明】
２  雄部材
３  雌部材
４  操作部材
５  係合部
６  交叉する部分
７  連結用弾性片
８  着脱時案内用弾性片
【図１】
0004003196.tif 000002
【図２】
0004003196.tif 000003
【図３】
0004003196.tif 000004
【図４】
0004003196.tif 000005
【図５】
0004003196.tif 000006
【図６】
0004003196.tif 000007
【図７】
0004003196.tif 000008
【図８】
0004003196.tif 000009